(57)【要約】【課題】  簡単に移動し労力を要せず短時間で組み付けて使用状態とし、さらに大きな荷重支持により実用に優れた打撃練習装置を提供する。【解決手段】    ベース部１２と、ベース部に立設支持された支持ポスト１４と、支持ポストに装着される打撃練習用ミット体１６と、を備える。ベース部１２は上面に錘体を安定載置させる安定載置受部２４と、安定載置受部上に着脱自在に載置させてミット体を支持させる錘具２２と、を備え、さらに、錘具２２は、錘体２２１を詰め替え可能に収容する複数の可搬式容器装置１８から構成される。ベース部側の荷重支持を大きくさせることにより、軽量で打撃に対する耐摩耗性に優れた素材で形成し得る。また、荷重支持のための構造が極めて簡単で軽量化ができ、搬送、移動の上で利便性が高い。【選択図】図３                       
2005312789.tif 000002
【特許請求の範囲】
【請求項１】
ベース部と、
ベース部に立設支持された支持ポストと、
支持ポストに装着される打撃練習用ミット体と、を備え、
ベース部は上面に錘体を安定載置させる安定載置受部と、安定載置受部上に着脱自在に載置させてミット体を支持させる錘具と、を備え、
錘具は、錘体を詰め替え可能に収容する複数の可搬式容器装置からなることを特徴とする打撃練習装置。
【請求項２】
可搬式容器装置は、砂類を充填する柔軟で折り畳み格納可能な素材からなる取っ手付きバッグ体からなる請求項１記載の打撃練習装置。
【請求項３】
支持ポストは、相互に連結固定された複数本の支柱を含み、
打撃練習用ミット体には複数本の支柱が挿着されて取り付けられる縦長穴が設けられ、
該縦長穴内に支柱が位置ずれしないように取り付けられていることを特徴とする請求項１または２記載の打撃練習装置。
【請求項４】
縦長穴は、断面でいずれかの方が長い長孔形状であることを特徴とするし請求項３記載の打撃練習装置。
【請求項５】
打撃練習用ミット体には支持ポストを横方向から脱着自在に縦長穴に装着して取り付けるべく該縦長穴の縦長状に連通する縦長切欠溝が設けられていることを特徴とする請求項３または４記載の打撃練習装置。
【請求項６】
縦長切欠溝は、該長孔形状のいずれかの対向長辺側に設けられていることを特徴とする請求項５記載の打撃練習装置。
【請求項７】
支持ポストを介してベース部の外縁部分付近にミット体を配置支持させたことを特徴とする請求項１ないし６のいずれかに記載の打撃練習装置。
【請求項８】
支持ポストあるいは支持ポストとベース部との連結部にはミット体へ加えられる打撃力を吸収するための弾性打撃吸収装置が設けられていることを特徴とする請求項１ないし７のいずれかに記載の打撃練習装置。
【発明の詳細な説明】
【技術分野】
【０００１】
本発明は、空手、ボクシング等の格闘技の練習に用いる打撃練習装置に関する。
【背景技術】
【０００２】
近時、テレビジョンやインターネット等による映像・音声伝達手段を介したスポーツ観戦が愛好され、中でも空手、ボクシング、キックボクシングその他の格闘技等が若者層を中心として人気を博している。このような格闘技スポーツは観戦ばかりでなく、スポーツ競技としても人気が高く、健康維持目的などで行なう婦女子等も含めるとその競技人口は相当数にのぼる。ところで、それらの競技のうち、相手の身体に直接に接触することを許すフルコンタクト許容の競技では、常に相手と立ち向かう実戦と同条件での練習は困難であり、また、フォーム作り、フォーム矯正、自己練習などの必要のために、通常は、例えばサンドバッグ等を仮想の相手とした打撃練習が行なわれる。サンドバッグは、文字通り砂袋であり、これを練習者の前方に配置させ、上肢あるいは下肢により打撃練習を行なうものである。サンドバッグを支持する方法として、例えば建築物の梁や木に吊るして支持するものや、地上に配置したスタンドに取り付けて使用するものが実開平５−２４０７３号や、実用新案登録第３０５４６５２号において、提案されている。
【特許文献１】実開平５−２４０７３号公報
【特許文献２】実用新案登録第３０５４６５２号公報
【発明の開示】
【発明が解決しようとする課題】
【０００３】
上記の特許文献１には、支持台１に立設させた支柱５に懸架した懸吊具１１を介してサンドバッグを懸吊させるサンドバッグ用スタンドが示されている。この特許文献１のサンドバッグ用スタンドでは、直立する支柱５の上部先端から横杆８を水平方向に突設させ、さらにその先端部分に懸吊具１１を介してサンドバッグＡを吊支させるものであり、このため、サンドバッグＡの重量負荷は横杆８の先端側から下方に加えられるから、例えば１００ｋｇ程度の重量物を支持し、かつバッグに加えられる数百キログラムの打撃を反復して受けるに耐え得る支持構造である必要がある。すなわち、打撃練習時の打撃力を受けて構造体として維持させるために、砂袋には十分な量の砂を充填した重量によりその打撃に耐え得るようにする必要がある。したがって、この特許文献１の装置では、支柱５と横杆８との連結部分が折れやすく、危険であった。また、この連結部分の支持を強固にするための支持部分が大型化、重量化し、装置全体の設置、移動が簡単に行なえないという問題があった。また、装置の移動、設置時には支持台１の安定化のためにピン１９に挿入載置させるバーベルプレートを外し、設置後再び装着させる作業やプレートの管理が煩雑でしかも重量物により労力がかかるものであった。さらに、吊り下げ式サンドバッグでは、バッグ内への砂の充填後１００ｋｇものバッグをいったん持ち上げて支持した状態でなければ横杆８に取り付けることができず、セットアップ作業に複数人が必要で、しかも大きな労力がかかり、さらに時間も掛かかるという問題があった。また、特許文献２のスタンド式サンドバッグでは、錘タンク３の中心部分に１本の支柱２を立てて、該支柱２がバッグ本体１の縦孔に挿入されてバッグ本体１をスダンド式に支持させるものである。しかしながら、この特許文献２の装置は、錘タンクの中心部分に支柱を立設させる必要から、上肢や下肢でバッグ本体に打撃を行なう際に立ち位置の邪魔にならないようにするために、錘タンク３は横方向に嵩張らない様にある程度小型とする必要があり、このため、安定性に欠け大きな打撃力を加えた場合にはこのタンクごと装置全体が大きく揺動して職業格闘家等が行なう本格的な打撃練習には実用し得なかった。また、上記のように、錘タンクの中心部分に１本の支柱を立設させるから、強度の保持のためにバッグ本体１の支持位置を偏心させたり、無理な支持構成とすることができず、よって、どうしもてベース１０がバッグ本体の外形輪郭よりも大きくなり、例えば思い切った蹴り動作や打ち込み動作ができないという問題があった。また、中心支持によるので錘タンク３は１個の一体的な容器とならざるを得ず、搬送移動時などに嵩張って不便であるとともに、バッグ本体の支柱に対する取り付け、取り外しが不便であった。
【０００４】
本発明は、上記従来の課題に鑑みてなされたものであり、その１つの目的は、簡単に移動し労力を要せず短時間で組み付けて使用状態とし得る実用に優れた打撃練習装置を提供することである。また、本発明の他の目的は、ミット体の支持荷重を簡単に形成させ、しかもベース部全体を荷重支持して大きな打撃力にも耐え得るプロ格闘家等にも実用可能な打撃練習装置を提供することである。さらに、本発明の他の目的は、ミット体の支持ポストへの装着が極めて簡単で、短時間で使用への準備を整えることのできる打撃練習装置を提供することである。
【課題を解決するための手段】
【０００５】
上記の目的を達成するために、本発明は、ベース部１２と、ベース部に立設支持された支持ポスト１４と、支持ポストに装着される打撃練習用ミット体１６と、を備え、ベース部１２は上面に錘体を安定載置させる安定載置受部２４と、安定載置受部上に着脱自在に載置させてミット体を支持させる錘具２２と、を備え、錘具２２は、錘体２２１を詰め替え可能に収容する複数の可搬式容器装置１８からなることを特徴とする打撃練習装置１０から構成される。本発明は、床面あるいは地面側に支持体を配置し、該支持体に支持させた支持ポストを介してミット体を支持して打撃を受けるようにしたいわゆるスタンドタイプの打撃練習装置であり、ミット体は従来の砂袋式のサンドバッグとしてもよいが、床面側の支持であるベース部側の荷重支持を大きくさせることにより、軽量で打撃に対する耐摩耗性に優れた素材で形成するのが良い。形状は縦長形状に限らず、任意のミット体形状で構成し得る。ベース部の構成も基本的には任意に構成しても良いが、複数の可搬式容器装置を安定して受ける安定載置受部を有する構成である。搬送や移動の便宜を考慮してできるだけ軽量であるのが好ましく、その点から、ブロックや厚い構造材などよりも棒やパイプ部材などを組み合わせたフレーム構造とするのがよい。その際の材質は、金属、合成樹脂、木製等が考えられるが、強度の点から金属でかつパイプ材とするのが軽量化の点で有利である。可搬式容器装置は、プラスチック製等の成型容器でも良いが、できるだけ軽量でかつ搬送、移動時の負担にならないようなもので、かつ充填物が液体や砂等の粒子状物、その他の荷重物体についていずれも収容可能な容器装置であるのがよい。好ましくは、砂などを充填物としてどこでも入手可能で、安定載置受部上に設置して収容状態で内部移動しにくく、しかもベース部全体にわたって荷重支持を行えるような布や合成樹脂、加工、合成紙類等で柔軟かつ折り畳み容易なものであるのが好ましい。
【０００６】
その際、可搬式容器装置１８は、砂類（２２１）を充填する柔軟で折り畳み格納可能な素材からなる取っ手２２３付きバッグ体２２４からなるようにするとよい。
【０００７】
また、支持ポスト１４は、相互に連結固定された複数本の支柱１４１を含み、打撃練習用ミット体１６には複数本の支柱が挿着されて取り付けられる縦長穴１６１が設けられ、該縦長穴１６１内に支柱１４１が位置ずれしないように取り付けられるとよい。支柱１４１を複数本で構成し、これらを縦長穴内で位置ずれしないように組み合わせする態様は複数あり、例えば長孔の両端に支柱を配置したり、三角形状の三点配置、四角形、ひし形等種々の方法で構成するとよい。支柱は１本で構成してもよいが、強度保持の点から２本以上で構成するのがよい。
【０００８】
縦長穴１６１は、断面でいずれかの方が長い長孔ＬＨ形状とすることにより、両端に支柱を配置した構成として、打撃時に支柱からの位置ずれや離脱がしにくい。
【０００９】
また、打撃練習用ミット体１６には支持ポスト１４を横方向から脱着自在に縦長穴１６１に装着して取り付けるべく該縦長穴の縦長状に連通する縦長切欠溝１６２が設けられるとよい。支持ポスト１４の長さやミット体への挿着部長さに対応して、縦長切欠溝１６２は、ミット体の上下全長に渡るように形成してもよいし、一部のみを切欠くように中途までの長さで溝を形成させてもよい。
【００１０】
また、縦長切欠溝１６２は、該長孔ＬＨ形状のいずれかの対向長辺側に設けられるとよい。
【００１１】
さらに、支持ポスト１４を介してベース部１２の外縁部分付近にミット体１６を配置支持させるとよい。支持ポストの下部とベース部との接合部分あるいはその近傍を中心部分から外縁方向に曲げて立ち上げさせることによりベース部側での荷重支持によりミット体を外縁部ぶんに直立不動状にしじさせることができる。
【００１２】
さらに、支持ポスト１４あるいは支持ポストとベースとの連結部にはミット体１６へ加えられる打撃力を吸収するための弾性打撃吸収装置２８を設けるとよい。特に、この弾性打撃吸収装置をベース部と支持ポストとの接合部分に設けることにより、支持ポストの直接支持を行いつつ打撃による衝撃吸収を効果的に行なえる。
【発明の効果】
【００１３】
本発明の打撃練習装置は、ベース部と、ベース部に立設支持された支持ポストと、支持ポストに装着される打撃練習用ミット体と、を備え、ベース部は上面に錘体を安定載置させる安定載置受部と、安定載置受部上に着脱自在に載置させてミット体を支持させる錘具と、を備え、錘具は、錘体を詰め替え可能に収容する複数の可搬式容器装置からなる構成とすることにより、ミット体を軽量にして労力を要せず、短時間で組立でき、しかも安定載置受部と複数の可搬式容器装置により荷重支持力を大きくし、打撃練習に際して直立不動状態を安定して維持できる上に低コストで装置を提供する事ができる。
【００１４】
また、可搬式容器装置は、砂類を充填する柔軟で折り畳み格納可能な素材からなる取っ手付きバッグ体からなる構成とすることにより、容器自体が極めて軽量、コンパクトとなり装置の搬送、移動時に荷重部分を構成する部材がほとんど荷物にならず、ミット体と例えばフレーム構造体のみの移動でよい。また、組立作業労力が極めて軽便でしかも短時間で組立作業を完了し得る。
【００１５】
支持ポストは、相互に連結固定された複数本の支柱を含み、打撃練習用ミット体には複数本の支柱が挿着されて取り付けられる縦長穴が設けられ、該縦長穴内に支柱が位置ずれしないように取り付けられた構成とすることにより、支持ポスト自体の強度を大きく取れるとともに、複数本の支柱を配置させた状態で同支持ポストとミット体との位置ずれをしないようにして安定した打撃練習を実現することができる。
【００１６】
また、縦長穴は、断面でいずれかの方が長い長孔形状である構成とすることにより、横断面で長孔の両端に支柱が配置されるように構成でき、複数支柱と位置ずれ防止構成を同時に実現し得る。
【００１７】
また、打撃練習用ミット体には支持ポストを横方向から脱着自在に縦長穴に装着して取り付けるべく該縦長穴の縦長状に連通する縦長切欠溝が設けられた構成とすることにより、縦長で例えば２ｍ程度の長さにもなるミット体を支持ポストに対して横方向にあてがって挿着でき、組み立て作業が簡単で短時間のセットアップを可能とする。
【００１８】
また、縦長切欠溝は、該長孔形状のいずれかの対向長辺側に設けられた構成とすることにより、縦長切欠溝を介して支持ポストをミット体の縦長穴内に簡易に挿入し得ると共に、練習者の対面する方向に正しくミット体を配置させた状態で該ミット体を支持ポストに対して挿着固定させることができる。
【００１９】
支持ポストを介してベース部の外縁部分付近にミット体を配置支持させた構成とすることにより、ベース部が打撃練習時の練習者の立ち居地に邪魔にならないようにでき、思い切った打ち込み、あるいは打撃練習が行なえてプロフェッショナルとしての格闘家などの練習についても実用に耐え得る。
【００２０】
また、支持ポストあるいは支持ポストとベース部との連結部にはミット体へ加えられる打撃力を吸収するための弾性打撃吸収装置が設けられた構成とすることにより、装置の耐久性を向上させることができる。
【発明を実施するための最良の形態】
【００２１】
以下、添付図面を参照しつつ本発明を実施するための最良の形態について説明する。図１ないし図９は、本発明の一つの実施の形態を示しており、図１において、本実施形態の打撃練習装置１０は、ベース部１２と、支持ポスト１４と、ミット体１６と、可搬式容器装置１８と、を備えている。図１ないし図３において、ベース部１２は、ミット体１６を立った状態に安定して強固に支持する支持土台手段であり、本実施形態では例えば金属パイプフレームを溶接により固定させて円形フレーム状に構成している。金属パイプフレームは、鉄製やステンレス製などでもよいが、軽量化のためにアルミニウムパイプにより構成されている。詳しくは、ベース部１２は、円形フレーム１２１と、その内側に平行直線状に掛け渡されて固定された２個の平行フレーム１２２を溶接固定して形成している。
【００２２】
支持ポスト１４は、ベース部１２に支持されて打撃用ミット体を縦長状に支持する支持手段であり、本実施形態では、図２，３，７に示すように、ベース部１２の金属パイプフレームに連結接合されて一体的に組み付け固定されている。すなわち、本実施形態の支持ポスト１４は、ベース部１２と同一の素材を用いて一体接合されている。支持ポスト１４は、複数の連結杆１４０により相互に連結固定され縦に平行に配置された２本の支柱１４１を含む。この２本の支柱１４１は、図２、図７に示すようにそれぞれベース部１２に基部側を連結固定されて立ち上がる脚部２０を介して直立状に支持されている。詳しくは、脚部２０は、円形フレーム１２１の１つの直径線の両端位置となる１８０度離隔位置並びにそれらからそれぞれ９０度離隔した位置のフレーム部分に基部を接合され、それぞれ斜めに中央に向けて立ち上がる３個の脚杆２０１と、それらの脚杆２０１のすべての上端部に共通に接合固定される水平杆２０２と、を含む。そして、この水平杆２０２の両端が２本の支柱１４１の下端側のＬ字連結杆１４２と接合固定され、これによって、ベース部と支持ポストとが一体接合されて構成されている。これらは、皆金属パイプフレームの接合により組みつけられたものであるが、脚部２０の基部とベース部１２とは三点接合により強固な支持構造であると共に、水平杆２０２を介して２本の支柱１４１を無理なく立ち上げて連結固定させる。これらの脚部２０は、ミット体１６の取り付け位置の直下に存在しないようにベース部１２に固定支持される。実施形態では３本の脚杆２０１は円形フレーム１２１の略１８０度の範囲においてそれぞれの基部が円形フレームに固定され、中心側に向けて斜めに立ち上げ固定され、さらにＬ字連結杆１４２を介して残部の１８０度の範囲部分に偏位した位置に設定されている。したがって、キック等でミット体の下部位置を蹴込み打撃する際に脚杆や支持ポスト等の金属製の骨組み部分に直接に当たることがなく、思い切り打撃練習ができる。図２、３に示すように、Ｌ字連結杆１４２を介して２本の支柱１４１は、ベース部１２の外縁部分付近で直立状に立ち上げ形成されている。
【００２３】
図１，３，４，８において、ベース部１２は上面に後述する錘具２２を安定載置させる安定載置受部２４を形成している。本実施形態において、安定載置受部２４は、円形フレーム及び平行フレーム１２１，１２２のパイプフレームにより形成された上面全体であり、この上面全体を使用して錘具を自由にかつ安定して配置でき、よって、組み立て作業が簡単で、作業効率が極めて良好である。また、ベース部のフレーム全体で荷重支持用錘具を受けることができ、支持ポストを確実に直立不動状に安定して支持させることができる。
【００２４】
ミット体１６は、支持ポスト１４に装着されて直立状に支持され練習者の上肢または下肢による打撃を直接に受ける打撃練習用ミット体であり、本実施形態では内部に詰め物を充填して表面を耐久性のテント生地で被覆した軽量の縦長中空筒体から構成されている。ミット体１６は、このように軽量でもベース部１２に広い範囲の安定載置受部２４を設け、後述する可搬式容器装置を介してベース部全面にわたって荷重支持させるから、プロ格闘家などによる大きな打撃力が加えられてもベース部の浮き上がり等がなく、安定して練習を行なえる。ミット体１６は、従来の砂袋形態で内部に砂を詰めたものでもよい。また、その他、古布やダンボール紙、紙、藁、合成樹脂チップ、合成樹脂片、それらのうちの複数種を組み合わせたもの、その他任意の素材の詰め物を詰めてもよい。本実施形態では、詳しくは、内部にウレタンスポンジと発泡ポリエチレンを混合させたある程度弾力性を有する素材を詰めており、外皮部分をテトロンやビニロン等のテント生地で被覆している。
【００２５】
本実施形態において、このミット体１６の内部中央部分には、図２，５，７に示すように支持ポスト１４の複数本の支柱１４１が挿着される縦長穴１６１が上下貫通するように形成されている。本実施形態において、この縦長穴１６１は、図に見られるように、断面でいずれかのほうが長い長孔ＬＨ形状で構成されている。したがって、長孔ＬＨの内側両端部に直立平行に立てられた支柱１４１を挿入させることにより、外部からミット体１６に打撃を加えたとしても容易にこの縦長孔１６１内で支柱１４１の取り付け位置がずれることがない。支柱１４１のミット体１６に対する取り付け位置のずれを防止するには、このように断面長孔形状だけでなく、支柱１４１の立設させる本数に対応して任意の穴形状を選択できる。例えば支柱位置が断面で三角形、平行四辺形、その他任意の多角形あるいはその変形態様での穴構成としても良い。穴はそれぞれ独立穴としてもよいが、ミット体に挿入させるときの作業性の点から、断面でそれぞれ連通する穴とするのがよい。本実施形態において、ミット体１６は、断面楕円形状の筒体となっており、長孔形状の縦長穴を設けることにより、正面からの支柱１４１への脱着容易性、ミット体の搬送時等の積荷安定性の上で便宜である。なお、ミット体１６の外殻形状は、楕円形に限らず、真円状、角を落した多角形形状など任意に設定しうる。
【００２６】
さらに、この打撃練習用ミット体１６には縦長穴１６１の縦長状に連通する縦長切欠溝１６２が設けられている。縦長切欠溝１６２は、支持ポスト１４を横方向から脱着自在に縦長穴１６１に装着して取り付けるための連通空隙であり、実施形態において、ミット体１６の上下全長にわたって形成されている。例えば２本の支柱１４１へこのミット体１６を挿着するには、図６に示すよう、ミット体１６自体が弾性状に撓むのでこれを利用して横方向からある程度押し込み力を加えながらすると、簡単に縦長穴１６１内に支柱１４１を挿入させることができる。挿入後は、弾性力により再び図２のように、支柱１４１は縦長穴の断面長孔の内側両端部に密着し、支柱とミット体との係合位置を決めて位置ずれを防止させる。特に、本実施形態では、縦長切欠溝１６２は、該長孔形状のいずれかの対向長辺側に設けられているから、支柱１４１を直立させた状態で横方向から挿着させる作業が簡単で、短時間に行なえ、かつ、練習者と対向する側に縦長切欠溝のない部分を望ませるように安定して配置させかつその取付位置を固定させることができる。図４に示すように、本実施形態では、２本の支柱１４１をミット体１６の縦長穴１６１に挿着させた状態で、２本の支柱を連結する横方向に配置された連結杆１４０にそれぞれ巻着させるように、ミット体の縦長穴１６１内に一端を支持された面ファスナ部材１６３が設けられており、横方向からミット体を挿入した後、面ファスナ部材により係止させて支柱１４１とミット体１６との係合位置を確実に係止させるようにしている。
【００２７】
さらに、図２ないし図４において、ミット体１６は、支持ポスト１４を介してベース部１２の外縁部分付近に配置され支持されている。すなわち、図２、３において、Ｌ字連結杆１４２を介して２本の支柱１４１は、ベース部１２の外縁部分付近で直立状に立ち上げられ、この支柱１４１に直立状にミット体１６が挿着支持されている。これによって、ベース部の大面積での荷重支持を行いながら、上肢や下肢により打撃を行なう際に足元の立ち居地を遮るものがないから、思い切った打撃動作ができる。
【００２８】
さらに、本装置は、ベース部に対して強固な荷重支持を行わせるために、ベース部１２の安定載置受部２４上に錘具２２を着脱自在に載置させるようにしている。そして、錘具２２は、錘体２２１を詰め替え可能に収容する複数の可搬式容器装置１８から構成されている。このように、複数の可搬式容器装置１８をベース部１２の安定載置受部２４上に均等荷重を加えるように載置することにより、ベース部全体を荷重支持させ打撃動作を加えてもミット体１６を安定して直立状に支持させることができる。さらに、可搬式容器装置の容器のみを搬送し、組み立てる現地で砂等の充填物を詰め込むことにより、製品として流通させやすくでき、また、使用者側にとっても利便性を有する。特に、本実施形態において、可搬式容器装置は、砂類を充填する柔軟で折り畳み格納可能な素材からなる取っ手２２３付きバッグ体２２４からなるようにしているので、コンパクトに折り畳んで嵩張りなく搬送時にほとんど負担がかからない。したがって、合成樹脂製などの容器に比べて成型のためのコストが不要で、低コストによる製作を可能とする。また、例えば砂などをバッグ体２２４に収容してベース部１２の安定載置受部２４上に載置するだけで荷重支持ができ、装置の組み付けが容易で組み付け時間も極めて短時間で行なえる。したがって、合宿や遠征などの通常の練習地以外での練習に簡易に移動させて使用できる。本実施形態では、バッグ体２２４は、それぞれ立体扇型形状で構成され、それらを円形フレーム１２１の外形円に沿って周状に均等に密着状に４個配置してベース部を介した支持ポスト並びにミット体１４，１６の荷重支持を確実に行なっている。図に示すように、各可搬式容器装置どうしは密着して接して、一つの一体的な土台部分を形成するとともに、上部のミット体ともそれらの上面をほぼ接するように配置させて、練習時に打撃に向かう面には各可搬式容器装置間ならびにそれらとミット体との間には隙間が生じないようにしている。これによって、足の打撃練習時等で足を突っ込ませて練習者が怪我をするようなこともなく、安全に練習に打ち込める。なお、図９中、２２５は、バッグ体２２４の収容本体２２６と開閉蓋２２７とを開閉自在に閉鎖するファスナ部である。
【００２９】
上記の実施形態の打撃練習装置は、図２，７に示すように、ベース部と支持ポストを一体接合した１個のフレーム接合構造体と、ミット耐６と、４個のバッグ体２２４と、から構成される。したがって、装置を搬送移動させる際には、実質的には軽量のミット体と、フレーム接合構造体のみを搬送することになる。組み立てに際しては、フレーム接合構造体を設置し、練習者が練習時に打撃する方向からミット体１６を支柱１４に図６のようにして挿入し、挿着後ファスナ部２２５を巻着させて固定させる。そして、バッグ体２２４内にたとえば３０ｋｇ程度の重量の砂などを充填し、周方向等間隔に安定載置受部２４上に載置させるだけでよい。打撃練習に際しては、可搬式容器装置により広範で大きな荷重支持力をベース部に直接に加え、これによって支持ポストを安定して直立状に支持させることができる。
【００３０】
次に、本発明の打撃練習装置の第２の実施形態について図１０ないし図１７に基づいて説明するが、第１実施形態と同一部材には同一の符号を付し、その詳細な説明は省略する。本実施形態の打撃練習装置は、その基本的構成は第１実施形態と同一であり、微細な差異は、ベース部や脚部の具体的構成に止まり、それらの部分の相違は、機能上第１実施形態と大きな差異はない。すなわち、この第２実施形態では、ベース部１２の金属パイプによる枠組構成は、円形フレーム１２１と平行フレーム１２２と、さらに平行フレーム１２２に直交する直交フレーム３０１を同じフレーム平面を形成するように溶接等で接合固定されている。また、支持ポスト１４の下部側のＬ字連結杆１４２の先端に直角垂下状に２本の平行脚杆４０１が連結され、また、Ｌ字連結杆１４２と平行脚杆４０１との接合部分に係合しつつ補助支持する補助支持杆４０２が設けられている。この実施形態において、支柱１４１のＬ字連結杆１４２と平行脚杆４０１は例えば１本の金属パイプ材を曲げ形成して構成されている。したがって、支柱１４１は、Ｌ字連結杆１４２ならびに平行脚杆４０１を介してベース部１２にその基端側を直接に連結支持されている。平行脚杆４０１は縦に平行に設置される一方、補助支持杆４０２は上向き円弧状に曲げて形成されている。支持ポスト１４、ミット体１６、安定載置受部２４並びに可搬式容器装置１８の構成は第１実施形態と同一である。
【００３１】
この第２実施形態では、支持ポスト１４あるいは支持ポスト１４とベース部１２との連結部にはミット体１６へ加えられる打撃力を吸収するための弾性打撃吸収装置２８が設けられている点が、上記第１実施形態と異なる。弾性打撃吸収装置２８は、例えば軽量に構成されたミット体１６に加えられる打撃力を弾性的に吸収して主にベース部と支持ポストとの連結部分の破壊、破損を防止する弾性衝撃吸収手段であり、実施形態では、この弾性打撃吸収装置２８は、支持ポスト１４の下端側の平行脚杆４０１とベース部１２との連結部分並びに平行脚杆４０１の上部とベース部側に設けられた基板と防振ゴムを含む。すなわち、支持ポスト１４の下端側の平行脚杆４０１とベース部１２との連結部分には、上下の基板４１，４２と、これに挟まれて配置される５個の短円筒状防振ゴム４４からなる第１の弾性打撃吸収装置２８１が設置されるとともに、平行脚杆４０１の上部あるいはベース部１２側には、２個の基板４５，４６と、これに挟まれて配置される４個の短円筒状防振ゴム４４あるいはベース部側に設置された上下基板４７，４８の間に挟まれて設置される１個の短円筒状防振ゴム４４と、を含む第２の弾性打撃吸収装置２８２が設置されている。上基板４１は、平行脚杆４０１の下端に水平状に接合固定されている。また、下基板４２は、ベース部１２の平行フレーム１２２と直交フレーム３０１との直交部分（略中心を含む中央部分）に固定されている。そして、５個の防振ゴム４４を中心角が同じになるように等間隔で五角形状に基板上に配置させ、これらの防振ゴム４４と上下の基板４１，４２をボルト、ナット等の締結具で締結固定させている。この第１弾性打撃吸収装置２８１は、ベース部１２上の支持ポスト１４の下端部に設置されて支持ポスト全体を支持しつつ弾性的に打撃を吸収する。また、平行脚杆４０１の上部あるいはこれとベース部との連結部分に設置される第２弾性打撃吸収装置２８２は、支持ポストの立ち上がり部分を斜め下方に相対的に引張させて側方からの打撃吸収を行い、それらの部分での打撃による破壊、破損を防止する。弾性打撃吸収装置を設けることにより、ミット体１６を軽量に構成しつつ、ベース部での支持ポストの荷重支持力の実効を図ることができ、しかも、装置全体の耐衝撃性を高くして耐久性を保持し得る。
【００３２】
以上説明した本発明の打撃練習装置は、上記した実施形態のみの構成に限定されるものではなく、特許請求の範囲に記載した本発明の本質を逸脱しない範囲において、任意の改変を行ってもよい。
【産業上の利用可能性】
【００３３】
本発明の打撃練習装置は、学生や一般の格闘競技スポーツ愛好者、格闘技の初心者、婦女子だけでなく、プロ格闘技家の練習用としても無理なく用いることができる。また、格闘技の種類は、空手、ボクシング、キックボクシング、その他のすべての打撃を伴う挌闘技着全般の練習用として適用し得る。
【図面の簡単な説明】
【００３４】
【図１】本発明の第１実施形態に係る打撃練習装置の正面図である。
【図２】図１の装置の平面図である。
【図３】図１の装置の拡大斜視説明図である。
【図４】図１の一部省略Ａ−Ａ線拡大断面図である。
【図５】図１のＢ−Ｂ線拡大断面図である。
【図６】図１の支柱のミット体への挿着時の作用説明図である。
【図７】図１の装置の拡大分解斜視説明図である。
【図８】図１の可搬式容器装置を省略したＣ−Ｃ線矢視図である。
【図９】図１の装置のバッグ体の構成兼作用説明図である。
【図１０】本発明の第２実施形態に係る打撃練習装置の正面図である。
【図１１】図１０の装置の平面図である。
【図１２】図１０の装置の一部省略Ｄ−Ｄ線拡大断面図である。
【図１３】図１０のＥ−Ｅ線拡大断面図である。
【図１４】図１０の装置の拡大斜視説明図である。
【図１５】図１０の装置の拡大分解斜視説明図である。
【図１６】図１０の可搬式容器装置を省略した平面説明図である。
【図１７】図１２のミット体を支柱に取り付ける際の作用説明図である。
【符号の説明】
【００３５】
１０  打撃練習装置
１２  ベース部
１４  支持ポスト
１６  ミット体
１８  可搬式容器装置
２０  脚部
２２  錘具
２４  安定載置受部
２８  弾性打撃吸収装置
１４１  支柱
１４２  Ｌ字連結杆
１６１  縦長穴
１６２  縦長切欠溝
２２１  錘体
２２４  バッグ体
【図１】
2005312789.tif 000003
【図２】
2005312789.tif 000004
【図３】
2005312789.tif 000005
【図４】
2005312789.tif 000006
【図５】
2005312789.tif 000007
【図６】
2005312789.tif 000008
【図７】
2005312789.tif 000009
【図８】
2005312789.tif 000010
【図９】
2005312789.tif 000011
【図１０】
2005312789.tif 000012
【図１１】
2005312789.tif 000013
【図１２】
2005312789.tif 000014
【図１３】
2005312789.tif 000015
【図１４】
2005312789.tif 000016
【図１５】
2005312789.tif 000017
【図１６】
2005312789.tif 000018
【図１７】
2005312789.tif 000019